(57)【要約】【課題】連結具による通風の妨害を低減して、通風性能の向上を図ったヒートポンプ熱源機を提供すること。【解決手段】本発明のヒートポンプ熱源機は、基板上に配設された冷媒と水とを熱交換する水熱交換器３と、水熱交換器３を覆う水熱交換器カバー４と、冷媒と空気との熱交換を行い基板の背面側に設けた空気熱交換器２と、空気熱交換器２に通風させる送風ファン５と、送風ファン５を固定する送風ファン取付け部材６と、送風ファン取付け部材６と空気熱交換器２とを支持する連結具７とを備え、送風ファン取付け部材は連結具を介して水熱交換器カバーの上部に配設され、空気熱交換器は連結具を介して基板上に配設されるとともに、空気熱交換器に対向する連結具の一部に開口部８ａ（８ｂ）を設けた。【選択図】図１
2011002172.tif 000002
【特許請求の範囲】
【請求項１】
基板上に配設された冷媒と水とを熱交換する水熱交換器と、前記水熱交換器を覆う水熱交換器カバーと、冷媒と空気との熱交換を行い前記基板の背面側に設けた空気熱交換器と、前記空気熱交換器に通風させる送風ファンと、前記送風ファンを固定する送風ファン取付け部材と、前記送風ファン取付け部材と前記空気熱交換器とを支持する連結具とを備え、前記送風ファン取付け部材は前記連結具を介して前記水熱交換器カバーの上部に配設され、前記空気熱交換器は前記連結具を介して前記基板上に配設されるとともに、前記空気熱交換器に対向する前記連結具の一部に開口部を設けたことを特徴とするヒートポンプ熱源機。
【請求項２】
前記連結具は樹脂材料で形成されていることを特徴とする請求項１に記載のヒートポンプ熱源機。
【請求項３】
前記連結具は、前記基板と前記送風ファン取付け具に対してはネジで止め、かつ、前記水熱交換器カバーに対しては、わずかに可動するはめこみ係合としたことを特徴とする請求項１または２に記載のヒートポンプ熱源機。
【発明の詳細な説明】
【技術分野】
【０００１】
本発明は、ヒートポンプ式給湯機等の熱源に用いられるヒートポンプ熱源機に関するものである。
【背景技術】
【０００２】
従来、この種のヒートポンプ熱源機では、基板上には、空気熱交換器と、空気熱交換器に通風させる送風ファンと、その送風ファンを取り付けるための送風ファン取付け具と、冷媒と水を熱交換する水熱交換器と、水熱交換器を覆う水熱交換器カバーが備えられ、連結具が、空気熱交換器の下部を支持し、かつ、基板と水熱交換器カバーと送風ファン取付け具を連接固定している（例えば、特許文献１参照）。
【０００３】
図５、図６は、特許文献１に記載された従来のヒートポンプ熱源機の内部部品の取付け構造を示すものである。図５に示すように、ヒートポンプユニットの基板１０１上には、空気熱交換器１０２が備えられ、空気熱交換器１０２の前方下部には、水熱交換器１０３と水熱交換器１０３を覆う水熱交換器カバー１０４があり、水熱交換器カバー１０４の上面部には、送風ファン１０５と送風ファン１０５を固定する送風ファン取付け具１０６があり、連結具１０７が、空気熱交換器１０２を支持し、基板１０１と水熱交換器カバー１０４と送風ファン取付け具１０６とを連結する構成となっている。また図６のヒートポンプユニットの内部縦断面図に示すように、各部品が配置されている。
【先行技術文献】
【特許文献】
【０００４】
【特許文献１】特開２００５−１４７４６７号公報
【発明の概要】
【発明が解決しようとする課題】
【０００５】
しかしながら、従来の構成では、空気熱交換器１０２の前方下部に水熱交換器１０３を覆う水熱交換器カバー１０４があり、かつ水熱交換器カバー１０４の上面部には、送風ファン１０５と送風ファン１０５を固定する送風ファン取付け具１０６があるため、連結具１０７の形状は、基板１０１に固定され、空気熱交換器１０２を支持して、空気熱交換器１０２と水熱交換器カバー１０４の間で下部縦面１０７ａを形成し、かつ水熱交換器カバー１０４の上面部でも送風ファン取付け具１０６を支持するために上部縦面１０７ｂを形成した構成となっている。
【０００６】
そのため、鋼板製などの連結具１０７の下部縦面１０７ａと上部縦面１０７ｂが通風の妨げとなり、通風性能を低下させる課題があった。
【０００７】
本発明は、前記従来の課題を解決するもので、連結具による通風の妨害を低減して、通風性能の向上を図ったヒートポンプ熱源機を提供することを目的とする。
【課題を解決するための手段】
【０００８】
前記従来の課題を解決するために、本発明のヒートポンプ熱源機は、基板上に配設された冷媒と水とを熱交換する水熱交換器と、水熱交換器を覆う水熱交換器カバーと、冷媒と空気との熱交換を行い基板の背面側に設けた空気熱交換器と、空気熱交換器に通風させる送風ファンと、送風ファンを固定する送風ファン取付け部材と、送風ファン取付け部材と空気熱交換器とを支持する連結具とを備え、送風ファン取付け部材は連結具を介して水熱交換器カバーの上部に配設され、空気熱交換器は連結具を介して基板上に配設されるとと
もに、空気熱交換器に対向する連結具の一部に開口部を設けたことにより、空気熱交換器に対向した連結具の縦面の一部に開口部を設けたことで、空気熱交換器で熱交換した後の空気の流れが、連結具の一部に設けた開口部を通り抜けるようになり、通風抵抗を低減することができるため、通風性能の向上を図ることができる。
【発明の効果】
【０００９】
本発明は、連結具による通風抵抗を低減して、通風性能の向上を図ったヒートポンプ熱源機を提供することができる。
【図面の簡単な説明】
【００１０】
【図１】本発明の実施の形態１におけるヒートポンプ熱源機の構成図
【図２】同実施の形態１における要部断面図
【図３】同実施の形態１における要部断面図
【図４】同実施の形態１における要部断面図
【図５】従来のヒートポンプ熱源機の構成図
【図６】従来のヒートポンプ熱源機の要部断面図
【発明を実施するための形態】
【００１１】
第１の発明のヒートポンプ熱源機は、基板上に配設された冷媒と水とを熱交換する水熱交換器と、水熱交換器を覆う水熱交換器カバーと、冷媒と空気との熱交換を行い基板の背面側に設けた空気熱交換器と、空気熱交換器に通風させる送風ファンと、送風ファンを固定する送風ファン取付け部材と、送風ファン取付け部材と空気熱交換器とを支持する連結具とを備え、送風ファン取付け部材は連結具を介して水熱交換器カバーの上部に配設され、空気熱交換器は連結具を介して基板上に配設されるとともに、空気熱交換器に対向する連結具の一部に開口部を設けたことにより、空気熱交換器に対向した連結具の縦面の一部に開口部を設けたことで、空気熱交換器で熱交換した後の空気の流れが、連結具の一部に設けた開口部を通り抜けるようになり、通風抵抗を低減することができるため、通風性能の向上を図ることができる。
【００１２】
第２の発明のヒートポンプ熱源機は、特に第１の発明において、連結具は樹脂材料で形成されていることにより、冷媒と空気とが空気熱交換器で熱交換して、凝縮水が連結具に滴下しても錆びにくく、さらに開口部を設けているので、凝縮水の滞留も低減することができる。
【００１３】
第３の発明のヒートポンプ熱源機は、特に第１または第２の発明において、連結具は、基板と送風ファン取付け具に対してはネジで止め、かつ、水熱交換器カバーに対しては、わずかに可動するはめこみ係合としたことにより、本体運転時に各部品の振動が共振し合い、騒音が大きくなるのを防止することができる。
【００１４】
以下、本発明の実施の形態について、図面を参照しながら説明する。なお、この実施の形態によって本発明が限定されるものではない。
【００１５】
（実施の形態１）
本発明の第１の実施の形態について、図１〜図２を用いて説明する。図１は本発明の第１の実施の形態におけるヒートポンプ式給湯機の熱源として使用されるヒートポンプ熱源機の内部部品の取付け構造を示す正面図で、図２は要部内部縦断面図である。
【００１６】
図１および図２に示すように、ヒートポンプ熱源機の筐体の底部を構成する基板１の上の背面側には、冷媒と空気との熱交換を行う空気熱交換器２と、その空気熱交換器２の前面下方部には、冷媒と水との熱交換を行い高温水を生成する水熱交換器３とが配設されて
いる。さらに、水熱交換器３を覆うように配設される銅板製の水熱交換器カバー４と、空気熱交換器２に空気を供給する送風ファン５と、送風ファン５を固定する送風ファン取付け部材６とを備えている。
【００１７】
そして、空気熱交換器２および送風ファン取付け部材６とを支持する連結具７が設けられており、図２に示すように、連結具７は、基板１とネジで螺着され、かつ、水熱交換器カバー４とネジで螺着されて固定している。さらに連結具７の上部には、送風ファン取付け部材６がネジで螺着されており、送風ファン取り付け部材６に送風ファン５が取り付けられている。
【００１８】
そして、連結具７は、空気熱交換器２を設置できるように段差が設けられており、基板１から段差を有しながら上方部へと延伸するように構成されているため、どうしても基板１に対して上方側へ延伸するように縦面が設けられる。本実施の形態１では、連結具７において下部縦面７ａおよび上部縦面７ｂとが設けられており、それぞれの面に対して、開口部８ａおよび開口部８ｂとを設けている。なお、本実施の形態のような連結具７の形状に限定されることはなく、空気熱交換器２に対向する連結具７の一部に開口部が設けられておればよい。
【００１９】
また、その他ヒートポンプ回路を構成する圧縮機や減圧装置などもヒートポンプ熱源機の内部に配設されている。以上のように構成されたヒートポンプ熱源機について、以下その動作、作用を説明する。
【００２０】
まず、ヒートポンプ熱源機の動作を開始して所定の時間になると、送風ファン５が駆動始める。送風ファン５が駆動すると、ヒートポンプ熱源機の後方背面より前方へ抜けようとする空気流れが発生する。空気流れが発生すると、空気熱交換器２で冷媒と空気とが熱交換を行い、冷媒は吸熱する。
【００２１】
空気流れが発生すると、従来では開口部を設けていなかったため、連結具で通風が遮断されていたが、本実施の形態では、開口部８ａおよび８ｂを通過するようにスムーズに空気が前方に流れるため、通風性能は従来に比べ向上する。
【００２２】
さらに、本発明では、連結具７を樹脂材料で形成している。図３および図４は連結具７を樹脂材料で形成したヒートポンプ熱源機の要部断面図である。
【００２３】
図３および図４に示すように、連結具７の上部縦面７ｂでは、水熱交換器カバー４の上面部と連結具７とを連結するための嵌め込み形状９が設けられており、嵌め込み形状９の前部９ａは略Ｌ形状を形成して、水熱交換器カバー４の上面部の切り欠き部４ａに、わずかに可動する嵌め込み係合をしている。
【００２４】
さらに、連結具７の上部縦面７ｂに設けられた嵌め込み形状９の後部９ｂは、上部縦面７ｂに凸形状を形成して構成され、水熱交換器カバー４の切り起こし形状の穴部４ｂに、わずかに可動する嵌め込み係合をしている。
【００２５】
以上のように構成された、ヒートポンプ熱源機の運転時には、空気熱交換器２による冷媒流通による振動と、水と冷媒の流通による振動と、送風ファン５による振動があり、連結具が各部品を固定的にネジ締結していると、各部品の振動が共振し合い、騒音が大きくなる場合があったが、水熱交換器と連結具が、わずかに可動するはめこみ係合としたことにより、振動の伝達を低減でき、本体の振動や騒音の低減を図ることができる。また、はめこみ係合により、ネジ締結を廃止したことにより、組立工数の低減を図ることができる。
【００２６】
さらに、冷媒と空気を熱交換して、頻繁に凝縮水を滴下する空気熱交換器２の下部を支持する連結具７では、凝縮水が滞留しやすく、鋼板製の連結具７は錆びやすかったが、連結具７を樹脂製にしたことにより、錆を防止することができ、外観の美観を維持して、本体構造の破損を防止できる。
【産業上の利用可能性】
【００２７】
以上のように、本発明に係るヒートポンプ熱源機は、ヒートポンプ式給湯機に限定されることはなく、空調機能、暖房機能を有したヒートポンプ熱源にも適用することができる。
【符号の説明】
【００２８】
１  基板
２  空気熱交換器
３  水熱交換器
４  水熱交換器カバー
５  送風ファン
６  送風ファン取付け部材
７  連結具
８  開口部
９  嵌め込み形状
【図１】
2011002172.tif 000003
【図２】
2011002172.tif 000004
【図３】
2011002172.tif 000005
【図４】
2011002172.tif 000006
【図５】
2011002172.tif 000007
【図６】
2011002172.tif 000008